(57)【要約】【課題】階層構造を有する管理対象に関する管理データをツリー形式表示させ、必要に応じて下位階層の詳細を把握させる。【解決手段】階層構造を有する管理対象に関する管理データを画面上に表示する管理データ表示装置２であって、ユーザにより指定された閲覧条件に対応する第１管理データを抽出する抽出部２１と、抽出部２１により抽出された第１管理データを一覧表示する表示部２２と、を備え、抽出部２１は、第１管理データに対応する第１管理対象と親子関係を有し、当該第１管理対象を親とする第２管理対象を表示するようにユーザによって指示された場合に、第２管理対象に対応する第２管理データを抽出し、表示部２２は、抽出部２１により抽出された第２管理データを、第２管理対象の親となる第１管理対象の第１管理データを表示する表示欄に、入れ子表示する。【選択図】図１
2015187781.tif 000002
【特許請求の範囲】
【請求項１】
階層構造を有する管理対象に関する管理データを画面上に表示する管理データ表示装置であって、
ユーザにより指定された閲覧条件に対応する第１管理データを抽出する抽出部と、
前記抽出部により抽出された前記第１管理データを一覧表示する表示部と、を備え、
前記抽出部は、前記第１管理データに対応する第１管理対象と親子関係を有し、当該第１管理対象を親とする第２管理対象を表示するように前記ユーザによって指示された場合に、前記第２管理対象に対応する第２管理データをさらに抽出し、
前記表示部は、前記抽出部により抽出された前記第２管理データを、前記第２管理対象の親となる前記第１管理対象の前記第１管理データを表示する表示欄に、入れ子表示する、
ことを特徴とする管理データ表示装置。
【請求項２】
前記表示部は、前記第２管理対象を非表示にするように前記ユーザによって指示された場合に、前記第２管理データの表示を取り消すことを特徴とする請求項１記載の管理データ表示装置。
【請求項３】
前記抽出部は、前記第２管理対象と親子関係を有し、当該第２管理対象を親とする第３管理対象を表示するように前記ユーザによって指示された場合に、前記第３管理対象に対応する第３管理データをさらに抽出し、
前記表示部は、前記抽出部により抽出された前記第３管理データを、前記第３管理対象の親となる前記第２管理対象の前記第２管理データを表示する表示欄に、入れ子表示する、
ことを特徴とする請求項１または２記載の管理データ表示装置。
【請求項４】
前記表示部は、前記第３管理対象を非表示にするように前記ユーザによって指示された場合に、前記第３管理データの表示を取り消すことを特徴とする請求項３記載の管理データ表示装置。
【請求項５】
管理対象に関する管理データを表示装置の画面上に表示する管理データ表示方法あって、
前記表示装置が、
ユーザにより指定された閲覧条件に対応する第１管理データを抽出する第１抽出ステップと、
前記第１抽出ステップにおいて抽出された前記第１管理データを一覧表示する第１表示ステップと、
前記第１管理データに対応する第１管理対象と親子関係を有し、当該第１管理対象を親とする第２管理対象を表示するように前記ユーザによって指示された場合に、前記第２管理対象に対応する第２管理データを抽出する第２抽出ステップと、
前記第２抽出ステップにおいて抽出された前記第２管理データを、前記第２管理対象の親となる前記第１管理対象の前記第１管理データを表示する表示欄に、入れ子表示する第２表示ステップと、
を含むことを特徴とする管理データ表示方法。
【発明の詳細な説明】
【技術分野】
【０００１】
本発明は、管理データ表示装置および管理データ表示方法に関する。
【背景技術】
【０００２】
従来、階層構造を有するデータ等を端末の画面上に表示する場合、各データの結びつきを視覚的に表現したツリー形式で表示することが一般的に行われている。下記特許文献１には、階層的構造を有するノードをツリー形式で表示し、階層が深い場合には、ツリー表示を上下左右にスクロール可能とした表示装置が開示されている。
【先行技術文献】
【特許文献】
【０００３】
【特許文献１】特開２００５−２４２９４４号公報
【発明の概要】
【発明が解決しようとする課題】
【０００４】
特許文献１の表示装置では、階層的構造を有するノードをツリー形式で表示しているが、そのノードがどのようなノードであるのかを、ツリー上の表示内容から把握することはできない。
【０００５】
本発明は、上述した従来技術による問題点を解消するためになされたものであり、階層構造を有する管理対象に関する管理データをツリー形式表示させ、必要に応じて下位階層の詳細を把握させることが可能な管理データ表示装置および管理データ表示方法を提供することを目的とする。
【課題を解決するための手段】
【０００６】
本発明に係る管理データ表示装置は、階層構造を有する管理対象に関する管理データを画面上に表示する管理データ表示装置であって、ユーザにより指定された閲覧条件に対応する第１管理データを抽出する抽出部と、前記抽出部により抽出された前記第１管理データを一覧表示する表示部と、を備え、前記抽出部は、前記第１管理データに対応する第１管理対象と親子関係を有し、当該第１管理対象を親とする第２管理対象を表示するように前記ユーザによって指示された場合に、前記第２管理対象に対応する第２管理データをさらに抽出し、前記表示部は、前記抽出部により抽出された前記第２管理データを、前記第２管理対象の親となる前記第１管理対象の前記第１管理データを表示する表示欄に、入れ子表示する。
【０００７】
上記表示部は、前記第２管理対象を非表示にするように前記ユーザによって指示された場合に、前記第２管理データの表示を取り消すこととしてもよい。
【０００８】
上記抽出部は、前記第２管理対象と親子関係を有し、当該第２管理対象を親とする第３管理対象を表示するように前記ユーザによって指示された場合に、前記第３管理対象に対応する第３管理データをさらに抽出し、上記表示部は、前記抽出部により抽出された前記第３管理データを、前記第３管理対象の親となる前記第２管理対象の前記第２管理データを表示する表示欄に、入れ子表示することとしてもよい。
【０００９】
上記表示部は、前記第３管理対象を非表示にするように前記ユーザによって指示された場合に、前記第３管理データの表示を取り消すこととしてもよい。
【００１０】
また、本発明に係る管理データ表示方法は、管理対象に関する管理データを表示装置の画面上に表示する管理データ表示方法あって、前記表示装置が、ユーザにより指定された閲覧条件に対応する第１管理データを抽出する第１抽出ステップと、前記第１抽出ステップにおいて抽出された前記第１管理データを一覧表示する第１表示ステップと、前記第１管理データに対応する第１管理対象と親子関係を有し、当該第１管理対象を親とする第２管理対象を表示するように前記ユーザによって指示された場合に、前記第２管理対象に対応する第２管理データを抽出する第２抽出ステップと、前記第２抽出ステップにおいて抽出された前記第２管理データを、前記第２管理対象の親となる前記第１管理対象の前記第１管理データを表示する表示欄に、入れ子表示する第２表示ステップと、を含む。
【発明の効果】
【００１１】
本発明によれば、階層構造を有する管理対象に関する管理データをツリー形式表示させ、必要に応じて下位階層の詳細を把握させることが可能となる管理データ表示装置および管理データ表示方法を提供することができる。
【図面の簡単な説明】
【００１２】
【図１】実施形態における管理データ表示装置を含む管理システムの構成を例示する図である。
【図２】図１に示す品目情報テーブルのデータ構成を例示する図である。
【図３】図１に示すロット情報テーブルのデータ構成を例示する図である。
【図４】図１に示す管理データ表示装置における表示画面の一例を示す図である。
【図５】図１に示す管理データ表示装置における表示画面の一例を示す図である。
【図６】図１に示す管理データ表示装置における表示画面の一例を示す図である。
【発明を実施するための形態】
【００１３】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１４】
図１は、本発明の実施形態における管理データ表示装置を含む管理システムの概略構成を示す図である。図１に示すように、管理システムは、管理サーバ１と管理データ表示装置２とを備える。
【００１５】
管理サーバ１は、各種のテーブルを格納するデータベース１０を備える。各種のテーブルには、階層構造を有する管理対象に関するデータ（以下、「管理データ」ともいう。）が記憶される。本実施形態では、階層構造を有する管理対象として、例示的に、ロット単位に管理される製品や部品を用いて説明する。製品は、一つまたは複数の部品を含み、その部品は、さらに一つまたは複数の部品を含むという関係にあり、これらの部品を構成する各品目により階層構造が形成されている。本実施形態では、各種のテーブルとして、例示的に、品目情報テーブル１１およびロット情報テーブル１２を用いて説明する。
【００１６】
品目情報テーブル１１は、階層構造を形成する各品目に関する品目情報を格納する記憶部である。図２を参照して、品目情報テーブル１１のデータ構成について説明する。品目情報テーブル１１は、データ項目として、例えば、品目コード項目および品目名称項目を有する。品目コード項目は、品目を特定する識別情報を格納する。品目名称項目は、品目の名称を格納する。
【００１７】
ロット情報テーブル１２は、ロット単位に管理される製品または部品に関するロット情報を格納する記憶部である。図３を参照して、ロット情報テーブル１２のデータ構成について説明する。ロット情報テーブル１２は、データ項目として、例えば、ロットコード項目、親ロット項目、品目コード項目、使用量項目、生産量項目、生産日項目および担当者項目を有する。ロットコード項目は、ロットを特定する識別情報を格納する。親ロット項目は、そのロットの組み込み先となる親ロットを特定する識別情報を格納する。品目コード項目は、そのロットの品目を特定する識別情報を格納する。使用量項目は、そのロットの使用数量を格納する。生産量項目は、そのロットの生産数量を格納する。生産日項目は、そのロットが生産された年月日を格納する。担当者項目は、そのロットを生産または使用した担当者を特定する識別情報を格納する。
【００１８】
管理データ表示装置２は、物理的には、例えば、ＣＰＵ（Central Processing Unit）と、メモリと、入力装置と、表示装置と、通信インターフェースとを含む。メモリには、例えば、ＣＰＵで処理されるプログラムおよびデータを記憶するＲＯＭ（Read Only Memory）やＨＤＤ（Hard Disk Drive）、主として制御処理のための各種作業領域として使用するＲＡＭ（Random Access Memory）等が含まれる。ＣＰＵは、ＲＯＭやＨＤＤに記憶されたプログラムを実行し、通信インターフェースを介して受信されるメッセージや、入力装置から入力されるデータ、ＲＡＭに展開されるデータ等を処理することで、後述する管理データ表示装置２における各種の機能を実現する。
【００１９】
図１に示すように、管理データ表示装置２は、機能的には、例えば、抽出部２１と表示部２２とを有する。
【００２０】
抽出部２１は、ユーザにより指定された閲覧条件に対応する管理データをデータベース１０から抽出し、表示部２２は、抽出部２１により抽出された管理データを一覧表示する。
【００２１】
例示的に、閲覧条件として、“加工品Ａ”が指定された場合について、以下に説明する。この場合、抽出部２１は、図２に示す品目情報テーブル１１を参照し、品目名称の“加工品Ａ”に対応付けて記憶されている品目コードの“Ｈ００１”を品目情報テーブル１１から抽出する。続いて、抽出部２１は、図３に示すロット情報テーブル１２を参照し、品目コードの“Ｈ００１”に対応付けて記憶されている２件のロット情報をロット情報テーブル１２から抽出する。
【００２２】
続いて、表示部２２は、抽出部２１により抽出された２件のロット情報のうち、ロットコード“Ｌ００１”に対応するロット情報を、図４に示す管理データ一覧表の上段の表示欄３１に表示し、ロットコード“Ｌ００２”に対応するロット情報を、管理データ一覧表の下段の表示欄３２に表示する。
【００２３】
この場合、表示部２２は、管理データ一覧表に表示したロットコードのうち、そのロットコードを親ロットに格納しているロット情報がロット情報テーブル１２に存在するか否かを判定する。そして、存在する場合には、そのロットコードに対応するロット情報を表示している表示欄に“部品ボタン”を表示する。図４に示す管理データ一覧表では、ロットコード“Ｌ００２”を親ロットに格納するロット情報が、図３に示すロット情報テーブル１２に存在するため、管理データ一覧表の表示欄３２には部品ボタン３２Ｂが表示される。
【００２４】
続いて、抽出部２１は、図４に示す管理データ一覧表に表示されている部品ボタン３２Ｂが押下された場合に、部品ボタン３２Ｂを表示している表示欄３２のロットコード“Ｌ００２”を、親ロットに格納しているロット情報を、図３に示すロット情報テーブル１２から抽出する。例示的に、図３に示すロット情報テーブル１２では、親ロットに“Ｌ００２”を格納している２件のロット情報が抽出される。
【００２５】
続いて、表示部２２は、抽出部２１により抽出された２件のロット情報を、表示欄３２に、入れ子表示する。例示的に、表示部２２は、抽出された２件のロット情報のうち、ロッドコード“Ｌ１０１”に対応するロッド情報を、図５に示す表示欄３２の中段の表示欄３２１に入れ子表示し、ロッドコード“Ｌ１０２”に対応するロッド情報を、表示欄３２の下段の表示欄３２２に入れ子表示する。
【００２６】
この場合、表示部２２は、表示欄３２に入れ子表示したロットコードのうち、そのロットコードを親ロットに格納しているロット情報がロット情報テーブル１２に存在するか否かを判定する。そして、存在する場合には、そのロットコードに対応するロット情報を表示している表示欄に“部品ボタン”を表示する。図５に示す管理データ一覧表では、ロットコード“Ｌ１０２”を親ロットに格納するロット情報が、図３に示すロット情報テーブル１２に存在するため、表示欄３２２には部品ボタン３２２Ｂが表示される。
【００２７】
ここで、図５に示す管理データ一覧表の表示状態で、部品ボタン３２Ｂが再度押下された場合には、図４に示す管理データ一覧表の表示状態に戻る。つまり、部品ボタン３２Ｂを再度押下することで、表示欄３２の入れ子表示を取り消すことができる。
【００２８】
続いて、抽出部２１は、図５に示す管理データ一覧表に表示されている部品ボタン３２２Ｂが押下された場合に、部品ボタン３２２Ｂを表示している表示欄３２２のロットコード“Ｌ１０２”を、親ロットに格納しているロット情報を、図３に示すロット情報テーブル１２から抽出する。例示的に、図３に示すロット情報テーブル１２では、親ロットに“Ｌ１０２”を格納している２件のロット情報が抽出される。
【００２９】
続いて、表示部２２は、抽出部２１により抽出された２件のロット情報を、表示欄３２２に、入れ子表示する。例示的に、表示部２２は、抽出された２件のロット情報のうち、ロッドコード“Ｌ２０１”に対応するロッド情報を、図６に示す表示欄３２２の中段の表示欄３２２１に入れ子表示し、ロッドコード“Ｌ２０２”に対応するロッド情報を、表示欄３２２の下段の表示欄３２２２に入れ子表示する。
【００３０】
この場合、表示欄３２２に入れ子表示したロットコードのうち、そのロットコードを親ロットに格納しているロット情報が、図３に示すロット情報テーブル１２には存在しないため、表示欄３２２１および表示欄３２２２には部品ボタン３２２Ｂが表示されない。
【００３１】
ここで、図６に示す管理データ一覧表の表示状態で、部品ボタン３２２Ｂが再度押下された場合には、図５に示す管理データ一覧表の表示状態に戻る。つまり、部品ボタン３２２Ｂを再度押下することで、表示欄３２２の入れ子表示を取り消すことができる。
【００３２】
上述してきたように、本実施形態における管理データ表示装置によれば、抽出部２１を有することで、ユーザにより指定された閲覧条件（例えば、品目名称が“加工品Ａ”）に対応する第１管理データ（例えば、図３のロットコード“Ｌ００１”および“Ｌ００２”に対応するロット情報）を抽出し、表示部２２を有することで、抽出部２１により抽出された第１管理データを一覧表示することができる（例えば、図４の表示欄３１および表示欄３２）。
【００３３】
さらに、抽出部２１を有することで、第１管理データに対応する第１管理対象と親子関係を有し、この第１管理対象を親とする第２管理対象を表示するようにユーザによって指示された（例えば、図４の部品ボタン３２Ｂが押下された）場合に、第２管理対象に対応する第２管理データ（例えば、図３のロットコード“Ｌ１０１”および“Ｌ１０２”に対応するロット情報）をさらに抽出することができ、表示部２２を有することで、抽出部２１により抽出された第２管理データを、第２管理対象の親となる第１管理対象の第１管理データを表示する表示欄（例えば、図５の表示欄３２）に、入れ子表示する（例えば、図５の表示欄３２１および表示欄３２２）ことが可能となる。
【００３４】
また、表示部２２を有することで、第２管理対象を非表示にするようにユーザによって指示された（例えば、図５の部品ボタン３２Ｂが押下された）場合に、第２管理データの表示を取り消すことができる。
【００３５】
さらに、抽出部２１を有することで、第２管理対象と親子関係を有し、この第２管理対象を親とする第３管理対象を表示するようにユーザによって指示された（例えば、図５の部品ボタン３２２Ｂが押下された）場合に、第３管理対象に対応する第３管理データ（例えば、図３のロットコード“Ｌ２０１”および“Ｌ２０２”に対応するロット情報）をさらに抽出することができ、表示部２２を有することで、抽出部２１により抽出された第３管理データを、第３管理対象の親となる第２管理対象の第２管理データを表示する表示欄（例えば、図６の表示欄３２２）に、入れ子表示する（例えば、図６の表示欄３２２１および表示欄３２２２）ことが可能となる。
【００３６】
また、表示部２２を有することで、第３管理対象を非表示にするようにユーザによって指示された（例えば、図６の部品ボタン３２２Ｂが押下された）場合に、第３管理データの表示を取り消すことができる。
【００３７】
このように、本実施形態における管理データ表示装置２によれば、ユーザが必要とする管理データを任意に抽出させて一覧表示させることができ、表示した管理データの中に下位階層の管理データが存在する場合には、ユーザが必要とする下位階層の管理データを任意に抽出させて、上位階層の表示欄に入れ子表示させることが可能となる。
【００３８】
それゆえに、本実施形態における管理データ表示装置２によれば、階層構造を有する管理対象に関する管理データをツリー形式表示させ、必要に応じて下位階層の詳細を把握させることが可能となる。
【符号の説明】
【００３９】
１…管理サーバ
２…管理データ表示装置
１０…データベース
１１…品目情報テーブル
１２…ロット情報テーブル
２１…抽出部
２２…表示部
３１、３２、３２１、３２２、３２２１、３２２２…表示欄
３２Ｂ、３２２Ｂ…部品ボタン
【図１】
2015187781.tif 000003
【図２】
2015187781.tif 000004
【図３】
2015187781.tif 000005
【図４】
2015187781.tif 000006
【図５】
2015187781.tif 000007
【図６】
2015187781.tif 000008